(57)【要約】【課題】特定の設定が指定されていない場合でも、容易に、特定の設定を指定した画像形成を行うことができるようにすること。【解決手段】プリンタ１５０は、第１の設定を示すデータ、第２の設定を示すデータ及び形成する画像を示す画像データを受信する送受信部１５１と、第１の設定及び第２の設定に基づいて、第３の設定を指定する制御部１５３と、第３の設定を用いて、画像データに基づいて媒体に画像を形成する画像形成処理部１５４とを備える。【選択図】図６
2016068312.tif 000002
【特許請求の範囲】
【請求項１】
第１の設定を示すデータ、第２の設定を示すデータ及び形成する画像を示す画像データを受信する受信部と、
前記第１の設定及び前記第２の設定に基づいて、第３の設定を指定する制御部と、
前記第３の設定を用いて、前記画像データに基づいて媒体に前記画像を形成する画像形成処理部と、を備えること
を特徴とする画像形成装置。
【請求項２】
前記第２の設定を示すデータ及び前記画像データは、少なくとも画像形成ジョブに含まれており、
前記第３の設定は、前記画像形成ジョブに含まれているデータでは指定されていない設定であること
を特徴とする請求項１に記載の画像形成装置。
【請求項３】
前記第１の設定は、前記画像データの送信元を識別するための送信元識別情報であること
を特徴とする請求項１又は２に記載の画像形成装置。
【請求項４】
前記第２の設定は、前記画像形成処理部で前記媒体に前記画像を形成する際に必要な設定であり、
前記画像形成処理部は、前記第２の設定及び前記第３の設定を用いて、前記媒体に前記画像を形成すること
を特徴とする請求項１から３の何れか一項に記載の画像形成装置。
【請求項５】
前記画像形成処理部は、
前記第２の設定及び前記第３の設定を用いて、前記画像データに基づいて、前記媒体に前記画像を形成するための画像形成用データを生成する画像処理部と、
前記画像形成用データを用いて、前記媒体に前記画像を形成する画像形成部と、を備えること
を特徴とする請求項４に記載の画像形成装置。
【請求項６】
前記第１の設定を示すデータ、前記第２の設定を示すデータ及び前記画像データは、画像形成ジョブに含まれており、
前記第３の設定は、前記画像形成ジョブに含まれているデータでは指定されていない設定であること
を特徴とする請求項１に記載の画像形成装置。
【請求項７】
前記第１の設定及び前記第２の設定は、前記画像形成処理部で前記媒体に前記画像を形成する際に必要な設定であり、
前記画像形成処理部は、前記第１の設定、前記第２の設定及び前記第３の設定を用いて、前記媒体に前記画像を形成すること
を特徴とする請求項６に記載の画像形成装置。
【請求項８】
前記画像形成処理部は、
前記第１の設定、前記第２の設定及び前記第３の設定を用いて、前記画像データに基づいて、画素値を示す画像形成用データを生成する画像処理部と、
前記画像形成用データを用いて、前記媒体に前記画像を形成する画像形成部と、を備えること
を特徴とする請求項７に記載の画像形成装置。
【請求項９】
画像を形成する機能に関して指定された設定を示すデータ及び前記画像を示す画像データを含む画像形成ジョブを受信する受信部と、
前記画像形成ジョブに含まれているデータにおいて特定の設定が指定されていない場合に、前記画像形成ジョブにおいて指定されている１以上の設定に基づいて、前記特定の設定を指定する制御部と、
前記画像形成ジョブに含まれているデータおいて指定されている設定及び前記制御部により指定された設定を用いて、前記画像データに基づいて、媒体に前記画像を形成する画像形成処理部と、を備えること
を特徴とする画像形成装置。
【請求項１０】
第１の設定を示すデータ、第２の設定を示すデータ及び形成する画像を示す画像データを受信する受信過程と、
前記第１の設定及び前記第２の設定に基づいて、第３の設定を指定する制御過程と、
前記第３の設定を用いて、前記画像データに基づいて媒体に前記画像を形成する画像形成過程と、を有すること
を特徴とする画像形成方法。
【発明の詳細な説明】
【技術分野】
【０００１】
本発明は、画像形成装置及び画像形成方法に関する。
【背景技術】
【０００２】
ユーザ毎に指定した印刷設定情報をプリンタに保存しておき、印刷時に保存してある印刷設定情報を検索して適用する印刷システムが従来からあった（例えば、特許文献１参照）。
【先行技術文献】
【特許文献】
【０００３】
【特許文献１】特開２００６−２４００２９号公報
【発明の概要】
【発明が解決しようとする課題】
【０００４】
通常、プリンタドライバを使用して印刷する場合、プリンタ固有の印刷設定を選択して印刷することができる。しかし、ホストＰＣに予め用意されている一般的なプリンタドライバを使用した場合やドライバレス印刷の場合、一般的な印刷設定しか選択することができず、プリンタが持っている詳細なプリンタ固有機能を使用して印刷することができないという問題があった。
【０００５】
また、従来の技術では、ユーザ毎に印刷設定情報がプリンタに保存されている。このため、プリンタに保存されている印刷設定情報とは異なる設定をユーザは利用することができず、不便である。
【０００６】
そこで、本発明は、特定の設定が指定されていない場合でも、容易に、特定の設定を指定した画像形成を行うことができるようにすることを目的とする。
【課題を解決するための手段】
【０００７】
本発明の第１の態様に係る画像形成装置は、第１の設定を示すデータ、第２の設定を示すデータ及び形成する画像を示す画像データを受信する受信部と、前記第１の設定及び前記第２の設定に基づいて、第３の設定を指定する制御部と、前記第３の設定を用いて、前記画像データに基づいて媒体に前記画像を形成する画像形成処理部と、を備えることを特徴とする。
【０００８】
本発明の第２の態様に係る画像形成装置は、画像を形成する機能に関して指定された設定を示すデータ及び前記画像を示す画像データを含む画像形成ジョブを受信する受信部と、前記画像形成ジョブに含まれているデータにおいて特定の設定が指定されていない場合に、前記画像形成ジョブにおいて指定されている１以上の設定に基づいて、前記特定の設定を指定する制御部と、前記画像形成ジョブに含まれているデータおいて指定されている設定及び前記制御部により指定された設定を用いて、前記画像データに基づいて、媒体に前記画像を形成する画像形成処理部と、を備えることを特徴とする。
【０００９】
本発明の第３の態様に係る画像形成方法は、第１の設定を示すデータ、第２の設定を示すデータ及び形成する画像を示す画像データを受信する受信過程と、前記第１の設定及び前記第２の設定に基づいて、第３の設定を指定する制御過程と、前記第３の設定を用いて、前記画像データに基づいて媒体に前記画像を形成する画像形成過程と、を有することを特徴とする。
【発明の効果】
【００１０】
本発明の一態様によれば、固有の設定を指定することができない場合でも、容易に、固有の設定を指定した画像形成を行うことができるようにすることを目的とする。
【図面の簡単な説明】
【００１１】
【図１】実施の形態１に係る画像形成システムの構成を概略的に示すブロック図である。
【図２】実施の形態１における第１のＰＣの構成を概略的に示すブロック図である。
【図３】実施の形態１における第１の設定指定画面の概略図である。
【図４】実施の形態１における第２のＰＣの構成を概略的に示すブロック図である。
【図５】実施の形態１における第２の設定指定画面の概略図である。
【図６】実施の形態１におけるプリンタの構成を概略的に示すブロック図である。
【図７】実施の形態１における詳細設定情報の一例を示す概略図である。
【図８】実施の形態１における印刷設定特定情報の一例を示す概略図である。
【図９】実施の形態１において、設定情報を登録する際の処理を示すフローチャートである。
【図１０】実施の形態１におけるプリンタの固有ドライバを用いずに生成された印刷ジョブに基づいて印刷を行う際の処理を示すフローチャートである。
【発明を実施するための形態】
【００１２】
実施の形態１．
（構成の説明）
図１は、実施の形態１に係る画像形成システム１００の構成を概略的に示すブロック図である。
画像形成システム１００は、第１のＰＣ（Ｐｅｒｓｏｎａｌ  Ｃｏｍｐｕｔｅｒ）１１０と、第２のＰＣ１２０と、クラウドサーバ１３０と、携帯端末１４０と、画像形成装置としてのプリンタ１５０とを備える。
第１のＰＣ１１０、第２のＰＣ１２０及びプリンタ１５０は、ＬＡＮ（Ｌｏｃａｌ  Ａｒｅａ  Ｎｅｔｗｏｒｋ）１７０に接続されている。このため、プリンタ１５０は、第１のＰＣ１１０又は第２のＰＣ１２０から印刷ジョブ（画像形成ジョブ）を取得して、取得された印刷ジョブに基づき、印刷（画像形成）を行うことができる。
ＬＡＮ１７０には、ＧＷ（Ｇａｔｅｗａｙ）１８０が接続されている。第１のＰＣ１１０、第２のＰＣ１２０及びプリンタ１５０は、ＧＷ１８０を介して、インターネット１７１に接続することができるようにされている。インターネット１７１には、クラウドサーバ１３０及び携帯端末１４０が接続されている。このため、プリンタ１５０は、クラウドサーバ１３０又は携帯端末１４０から印刷ジョブを取得して、取得された印刷ジョブに基づき、印刷を行うこともできる。
なお、これらの装置の接続形態は、図１に示されている例に限定されるものではない。第１のＰＣ１１０、第２のＰＣ１２０、クラウドサーバ１３０、携帯端末１４０及びプリンタ１５０がデータを送受信することができれば、どのような接続形態でもよい。
【００１３】
図２は、第１のＰＣ１１０の構成を概略的に示すブロック図である。
第１のＰＣ１１０は、記憶部１１１と、入力部１１２と、表示部１１３と、送受信部１１４と、制御部１１５とを備える。
記憶部１１１は、第１のＰＣ１１０での処理に必要な情報を記憶する。実施の形態１では、記憶部１１１は、第１のＰＣ１１０を利用するユーザを識別するためのユーザ識別情報としてのユーザＩＤを記憶する。ユーザＩＤは、例えば、表示部１１３に表示されたユーザ情報入力画面を介して、ユーザが入力部１１２を用いて予め入力しているものとする。なお、ユーザＩＤは、印刷ジョブの送信元を識別するための送信元識別情報（印刷を要求する要求元を示す要求元識別情報）として利用される。
【００１４】
入力部１１２は、入力を受け付ける。
表示部１１３は、画面を表示する。
送受信部１１４は、ＬＡＮ１７０にデータを送信する送信部及びＬＡＮからデータを受信する受信部として機能する。
【００１５】
制御部１１５は、第１のＰＣ１１０での処理を制御する。
例えば、制御部１１５は、プリンタ１５０の固有ドライバを用いて、表示部１１３及び入力部１１２を介して、印刷を行うための設定の指定を受け付けて、指定された設定に基づいて、印刷ジョブを生成する。固有ドライバは、プリンタ１５０用に作成されたプリンタドライバである。固有ドライバによれば、プリンタ１５０が持っている固有の印刷機能（画像形成機能）に関する設定を指定することができる。
【００１６】
具体的には、制御部１１５は、図３に示されている第１の設定指定画面１９０を表示部１１３に表示させ、入力部１１２を介して、設定の指定を受け付ける。
第１の設定指定画面１９０は、印刷品位指定欄（画像形成品位指定欄）１９０ａと、用紙サイズ指定欄１９０ｂと、両面印刷指定欄（両面画像形成指定欄）１９０ｃと、カラー・モノクロ設定指定欄１９０ｄと、トナーセーブ指定欄（現像剤セーブ指定欄）１９０ｅと、１００％黒トナーセーブ指定欄（１００％黒現像剤セーブ指定欄）１９０ｆと、ＯＫ入力欄１９０ｇと、キャンセル入力欄１９０ｈとを有する。
印刷品位指定欄（画像形成品位指定欄）１９０ａは、印刷品位（画像形成品位）の指定を受け付ける。
用紙サイズ指定欄１９０ｂは、用紙サイズの指定を受け付ける。
両面印刷指定欄１９０ｃは、用紙の両面に印刷を行うか否かの指定を受け付ける。
カラー・モノクロ設定指定欄１９０ｄは、印刷色（画像形成色）の指定を受け付ける。
トナーセーブ指定欄１９０ｅは、現像剤であるトナーを節約して印刷を行うか否かの指定を受け付ける。
１００％黒トナーセーブ指定欄１９０ｆは、用紙に１００％の黒色で印刷を行う際でも現像剤であるトナーを節約して印刷を行うか否かの指定を受け付ける。
ＯＫ入力欄１９０ｇは、欄１９０ａ〜１９０ｆで指定された設定で印刷を行う指示の入力を受け付ける。
キャンセル入力欄１９０ｈは、欄１９０ａ〜１９０ｆで指定された設定をキャンセルする指示の入力を受け付ける。
ここで、トナーセーブ指定欄１９０ｅ及び１００％黒トナーセーブ指定欄１９０ｆは、プリンタ１５０に固有の設定を指定する欄である。
そして、ＯＫ入力欄１９０ｇを選択した実行指示の入力が行われると、制御部１１５は、記憶部１１１に記憶されているユーザＩＤと、第１の設定指定画面１９０を介して指定された設定を示す第１のデータと、印刷を行う画像を示す画像データとを含む第１の印刷ジョブを生成する。画像データは、例えば、ページ記述言語で記述されたデータである。なお、第１の設定指定画面１９０を介して指定された設定は、印刷する際（画像を形成する際）に必要な設定であり、画像を形成する際に必要な機能に関する設定である。制御部１１５は、第１の印刷ジョブを送受信部１１４に与え、プリンタ１５０へ送信させる。
【００１７】
図４は、第２のＰＣ１２０の構成を概略的に示すブロック図である。
第２のＰＣ１２０は、記憶部１２１と、入力部１２２と、表示部１２３と、送受信部１２４と、制御部１２５とを備える。
記憶部１２１、入力部１２２、表示部１２３及び送受信部１２４については、上述した第１のＰＣ１１０の記憶部１１１、入力部１１２、表示部１１３及び送受信部１１４と同様である。
【００１８】
制御部１２５は、第２のＰＣ１２０での処理を制御する。
例えば、制御部１２５は、一般的なドライバを用いて、表示部１２３及び入力部１２２を介して、印刷を行うための設定の指定を受け付けて、指定された設定に基づいて、印刷ジョブを生成する。一般的なドライバは、プリンタ１５０用に作成された固有のプリンタドライバ以外のプリンタドライバである。例えば、一般的なドライバは、機種に依存せずに使用することのできるプリンタドライバであってもよく、また、複数の機種に使用することのできるプリンタドライバであってもよい。さらに、一般的なドライバは、プリンタサーバから提供されるプリンタドライバであってもよい。一般的なドライバによれば、用紙サイズ等の一般的な印刷機能を指定することができる。なお、一般的なドライバでは、プリンタ１５０が有する固有の機能に関する設定を指定することはできない。言い換えると、一般的なドライバでは、プリンタ１５０に指定することのできる全ての設定の中で、指定することのできない設定が存在する。
【００１９】
具体的には、制御部１２５は、図５に示されている第２の設定指定画面１９１を表示部１２３に表示させ、入力部１２２を介して、設定の指定を受け付ける。
第２の設定指定画面１９１は、印刷品位指定欄１９１ａと、用紙サイズ指定欄１９１ｂと、両面印刷指定欄１９１ｃと、カラー・モノクロ設定指定欄１９１ｄと、ＯＫ入力欄１９１ｇと、キャンセル入力欄１９１ｈとを有する。これらは、上述した第１の設定指定画面１９０における、印刷品位指定欄１９０ａ、用紙サイズ指定欄１９０ｂ、両面印刷指定欄１９０ｃ、カラー・モノクロ設定指定欄１９０ｄ、ＯＫ入力欄１９０ｇ及びキャンセル入力欄１９０ｈと同様である。
第２の設定指定画面１９１には、第１の設定指定画面１９０におけるトナーセーブ指定欄１９０ｅ及び１００％黒トナーセーブ指定欄１９０ｆが設けられていない。このため、第２の設定指定画面１９１では、プリンタ１５０の固有の機能であるトナーセーブ及び１００％黒トナーセーブの設定を指定することができない。
そして、ＯＫ入力欄１９１ｇを選択した実行指示の入力が行われると、制御部１２５は、記憶部１２１に記憶されているユーザＩＤと、第２の設定指定画面１９１を介して指定された設定を示す第２のデータと、印刷を行う画像を示す画像データとを含む第２の印刷ジョブを生成する。制御部１２５は、生成された第２の印刷ジョブを送受信部１２４に与え、プリンタ１５０へ送信させる。
【００２０】
なお、クラウドサーバ１３０及び携帯端末１４０は、上述した第２の印刷ジョブを生成することができる。そして、クラウドサーバ１３０及び携帯端末１４０は、第２の印刷ジョブをプリンタ１５０に送信することで、プリンタ１５０にその印刷を行わせることができる。
【００２１】
図６は、プリンタ１５０の構成を概略的に示すブロック図である。
プリンタ１５０は、送受信部１５１と、記憶部１５２と、制御部１５３と、画像形成処理部としての印刷処理部１５４と、表示操作部１５７とを備える。
【００２２】
送受信部１５１は、ＬＡＮ１７０にデータを送信する送信部及びＬＡＮからデータを受信する受信部として機能する。例えば、送受信部１５１は、印刷ジョブを受信する。送受信部１５１は、受信した印刷ジョブを制御部１５３に与える。
記憶部１５２は、プリンタ１５０での処理に必要なデータを記憶する。特に、記憶部１５２は、送受信部１５１で受信されたデータで示されている設定から、当該データで示されていない他の設定を指定するための設定情報を記憶する。例えば、設定情報は、送受信部１５１で受信されたデータで示されている設定が満たすべき条件と、この条件が満たされた場合に指定される他の設定とを示す。本実施の形態においては、設定情報は、詳細設定情報及び印刷設定特定情報（画像形成設定特定情報）により構成される。
【００２３】
図７は、詳細設定情報の一例を示す概略図である。
図示するように、詳細設定情報１９２は、詳細設定ＩＤ欄１９２ａと、詳細設定項目欄１９２ｂとを有する。
詳細設定ＩＤ欄１９２ａは、詳細設定項目欄１９２ｂに格納される１以上の設定を識別するための設定識別情報としての詳細設定ＩＤを格納する。
詳細設定項目欄１９２ｂは、詳細設定ＩＤ欄１９２ａに格納された詳細設定ＩＤで識別される１以上の設定（第３の設定）を格納する。例えば、詳細設定ＩＤが「ＩＤ１」である場合には、印刷へのトナーセーブを適用し、１００％黒の部分に対してもトナーセーブを適用する。また、詳細設定ＩＤが「ＩＤ２」の場合には、印刷へのトナーセーブを適用するが、１００％黒の部分に対してはトナーセーブを適用しない。これらの設定は、一般的なドライバを用いて生成された印刷ジョブでは、指定されていない設定である。言い換えると、第２のＰＣ１２０、クラウドサーバ１３０又は携帯端末１４０から送られてきた印刷ジョブには、これらの設定が指定されていない。ここで、実施の形態１では、これらの設定は、プリンタ１５０の固有の機能に関する固有の設定である。また、これらの設定は、印刷する際（画像を形成する際）に必要な設定であり、画像を形成する際に必要な機能に関する設定である。
【００２４】
図８は、印刷設定特定情報の一例を示す概略図である。
図示するように、印刷設定特定情報１９３は、ユーザＩＤ欄１９３ａと、印刷指定欄１９３ｂと、詳細設定ＩＤ欄１９３ｃとを有する。
ユーザＩＤ欄１９３ａは、ユーザＩＤを格納する。実施の形態１においては、ユーザＩＤ欄１９３ａに格納されているユーザＩＤが第１の条件として扱われる。
印刷指定欄１９３ｂは、１以上の設定を格納する。実施の形態１においては、印刷指定欄１９３ｂに格納されている設定が第２の条件として扱われる。
詳細設定ＩＤ欄１９３ｃは、詳細設定ＩＤを格納する。実施の形態１においては、印刷ジョブの送信元（要求元）がユーザＩＤ欄１９３ａに格納されているユーザＩＤで識別されるユーザであり、印刷ジョブに含まれているデータで指定されている設定が印刷指定欄１９３ｂに格納されている設定である場合に、詳細設定ＩＤ欄１９３ｃに格納されている詳細設定ＩＤで識別される設定が指定される。例えば、ユーザＡが６００ｄｐｉのカラー印刷を実行した場合、詳細設定ＩＤが「ＩＤ１」である設定が指定される。一方、ユーザＡが１２００ｄｐｉのカラー印刷を実行した場合、詳細設定ＩＤが「ＩＤ２」である設定が指定される。また、ユーザＢが１２００ｄｐｉのカラー印刷を実行した場合、詳細設定ＩＤが「ＩＤ２」である設定が指定される。さらに、ユーザＣが６００ｄｐｉのカラー印刷を実行した場合には、詳細設定ＩＤが「ＩＤ１」である設定が指定される。このように、ユーザＩＤ及び指定された設定に応じて、適用する詳細設定を細かく登録することができる。
【００２５】
図６の説明に戻り、制御部１５３は、プリンタ１５０での処理を制御する。
例えば、送受信部１５１から与えられた印刷ジョブが第１の印刷ジョブである場合、言い換えると、印刷ジョブがプリンタ１５０の固有ドライバを用いて生成された場合には、制御部１５３は、このような印刷ジョブを印刷処理部１５４に送り、印刷を行わせる。このような場合には、印刷ジョブに含まれているデータで指定されている設定に基づいて、通常の印刷が行われる。以下、このような場合については、説明を省略する。
一方、送受信部１５１から与えられた印刷ジョブが第２の印刷ジョブである場合、言い換えると、印刷ジョブがプリンタ１５０の固有ドライバを用いて生成されていない場合には、制御部１５３は、記憶部１５２に記憶されている設定情報を参照して、印刷ジョブに含まれているデータで指定されている設定に基づいて、印刷ジョブに含まれているデータで指定されていない設定を指定する。そして、制御部１５３は、印刷ジョブに指定した設定を付与して、印刷処理部１５４に与え、印刷を行わせる。
なお、送受信部１５１から与えられた印刷ジョブが、第１の印刷ジョブであるか、第２の印刷ジョブであるかは、指定されていない設定の有無で判断することができる。
【００２６】
印刷処理部１５４は、制御部１５３からの指示に応じて、印刷を行う。
印刷処理部１５４は、画像処理部１５５と、印刷部１５６とを備える。
画像処理部１５５は、受け取った印刷ジョブに含まれている画像データから、この印刷ジョブで指定されている設定及び制御部１５３で指定された設定に基づいて、印刷部１５６で印刷を行うための、印刷用データ（画像形成用データ）を生成する。例えば、印刷用データは、色毎の画素値を示すデータである。画像処理部１５５は、生成された印刷用データを印刷部１５６に与える。
印刷部１５６は、画像処理部１５５で生成された印刷用データに基づいて、画像を用紙に印刷する。
【００２７】
表示操作部１５７は、プリンタ１５０の状態又は設定等を表示する表示部と、操作の入力を受け付ける操作部とを備える。
【００２８】
以上に記載された記憶部１５２は、例えば、フラッシュメモリ等の不揮発性のメモリにより実現することができる。
また、制御部１５３及び画像処理部１５５は、例えば、不揮発性のメモリに記憶されているプログラムを揮発性のメモリに読み出して、ＣＰＵ（Ｃｅｎｔｒａｌ  Ｐｒｏｃｅｓｓｉｎｇ  Ｕｎｉｔ）等のプロセッサで実行することにより実現することができる。なお、制御部１５３と画像処理部１５５が同じプロセッサで実現されていてもよく、また、これらが別々のプロセッサで実現されていてもよい。
送受信部１５１は、例えば、ＮＩＣ（Ｎｅｔｗｏｒｋ  Ｉｎｔｅｒｆａｃｅ  Ｃａｒｄ）等の通信装置で実現することができる。
【００２９】
（動作の説明）
図９は、設定情報を登録する際の処理を示すフローチャートである。
まず、管理者は、プリンタ１５０での印刷に適用する設定を特定する詳細設定情報１９２を登録する（Ｓ１０）。詳細設定情報１９２の登録は、表示操作部１５７を用いて行われてもよく、また、第１のＰＣ１１０、第２のＰＣ１２０、クラウドサーバ１３０又は携帯端末１４０から、詳細設定情報１９２をプリンタ１５０に送って、プリンタ１５０に登録してもよい。
次に、管理者は、ユーザＩＤと、印刷指定と、それらに一致した場合に印刷に適用する設定を識別するための詳細設定ＩＤとを印刷設定特定情報１９３に登録する（Ｓ１１）。
なお、管理者は、表示操作部１５７、第１のＰＣ１１０、第２のＰＣ１２０、クラウドサーバ１３０又は携帯端末１４０を用いて、詳細設定情報１９２及び印刷設定特定情報１９３を更新することができる。
【００３０】
図１０は、プリンタ１５０の固有ドライバを用いずに生成された印刷ジョブに基づいて印刷を行う際の処理を示すフローチャートである。
図１０では、一般的なプリンタドライバを備えた第２のＰＣ１２０から第２の印刷ジョブを受信した際の処理を示す。例えば、ユーザＡが、図５に示されている第２の設定指定画面１９１を介して、印刷を指示した場合、印刷ジョブには、ユーザＡのユーザＩＤと、プリンタドライバで指定された設定が含まれる。具体的には、印刷ジョブには、ユーザＩＤとして「ユーザＡ」、印刷品位として「６００ｄｐｉ」、用紙サイズとして「Ａ４」、両面印刷として「なし」、及び、カラー・モノクロ設定として「カラー」を示すデータが含まれる。
【００３１】
プリンタ１５０の送受信部１５１は、印刷ジョブを受信する（Ｓ２０）。送受信部１５１は、受信された印刷ジョブを制御部１５３に与える。
制御部１５３は、印刷ジョブからユーザＩＤと指定されている設定とを抽出する。そして、制御部１５３は、記憶部１５２に格納されている印刷設定特定情報１９３と比較して、抽出されたユーザＩＤ及び設定が、印刷設定特定情報１９３に格納されている第１の条件及び第２の条件を満たすか否かを判断する（Ｓ２１）。例えば、抽出されたユーザＩＤ及び設定が、印刷設定特定情報１９３に格納されているユーザＩＤ及び設定と一致する場合には、第１の条件及び第２の条件を満たすと判断する。第１の条件及び第２の条件を満たす場合には、処理はステップＳ２２に進み、第１の条件及び第２の条件の少なくとも何れか一方を満たさない場合には、処理はステップＳ２３に進む。
【００３２】
ステップＳ２２では、制御部１５３は、印刷設定特定情報１９３において、第１の条件及び第２の条件を満たすレコードから詳細設定ＩＤを特定する。そして、制御部１５３は、詳細設定情報１９２を参照して、特定された詳細設定ＩＤに対応する設定を特定して、特定された設定を印刷ジョブに付与する。例えば、印刷ジョブの設定として、「ユーザＡ」、「カラー」及び「６００ｄｐｉ」が含まれている場合、印刷設定特定情報１９３により、詳細設定ＩＤとして「ＩＤ１」が適用される。詳細設定ＩＤが「ＩＤ１」である場合には、「トナーセーブ」は「ＯＮ」、「１００％黒をトナーセーブする」は「ＯＮ」となるため、これらの設定が印刷ジョブに付与される。これにより、受信した際に印刷ジョブにおいて指定されていない設定が、制御部１５３により指定されたことになる。そして、制御部１５３は、印刷ジョブを画像処理部１５５に与える。処理は、ステップＳ２４に進む。なお、ステップＳ２２で指定される設定は、ステップＳ２３で指定されるデフォルトの設定とは異なる設定である。
【００３３】
ステップＳ２３では、制御部１５３は、印刷ジョブにデフォルトの設定を付与する。例えば、ここでは、「トナーセーブ」は「ＯＦＦ」の設定が付与され、「１００％黒をトナーセーブする」は「ＯＦＦ」の設定が付与される。そして、制御部１５３は、印刷ジョブを画像処理部１５５に与える。処理は、ステップＳ２４に進む。
【００３４】
画像処理部１５５は、与えられた印刷ジョブに基づいて、印刷用データを生成する（S２４）。本実施の形態では、生成された印刷用データには、ステップＳ２１で他の設定を指定するために使用された設定（印刷品位及びカラー・モノクロ設定）、及び、ステップＳ２２又はステップＳ２３で指定された設定が反映されている。そして、画像処理部１５５は、生成された印刷用データを印刷部１５６に与える。
印刷部１５６は、与えられた印刷用データを使用して、媒体に画像を形成する（Ｓ２５）。
【００３５】
以上のように、実施の形態１によれば、プリンタ１５０の固有の印刷機能をサポートしていない一般的なドライバを使用して印刷を指示する場合、又は、クラウドサーバ１３０若しくは携帯端末１４０からの簡易な印刷を指示する場合でも、プリンタ１５０の固有の印刷機能に関する設定を指定して、印刷を行うことができる。具体的には、第１の設定としてのユーザＩＤと、第２の設定としての「カラーモード」及び「印刷品質」の設定とに基づいて、第３の設定として「トナーセーブ」及び「１００％黒をトナーセーブする」の設定を指定することができる。
【００３６】
以上に記載された実施の形態１においては、ユーザＩＤが印刷ジョブに含まれているが、このような例に限定されるものではない。例えば、ユーザＩＤを示すデータが印刷ジョブとは別に、プリンタ１５０に送られてきてもよい。
また、プリンタ１５０の記憶部１５２に、ユーザＩＤと、他の識別情報（例えば、ＩＰアドレス又はＭＡＣアドレス）とを対応付けた別の情報（ユーザＩＤ特定情報）を記憶しておくことで、ＰＣ１１０、１２０、クラウドサーバ１３０又は携帯端末１４０から印刷ジョブを受信した際に、ユーザＩＤを特定することができる。
【００３７】
以上に記載された実施の形態１においては、ユーザＩＤは、記憶部１１１、１２１に予め記憶されているものとして説明したが、このような例に限定されるものではない。例えば、図３に示されている第１の設定指定画面１９０又は図５に示されている第２の設定指定画面１９１にユーザＩＤの入力を受け付けるためのユーザＩＤ入力欄を更に設けて、このような欄において入力を受け付けてもよい。
なお、ユーザＩＤは、ＰＣ１１０、１２０の起動時に入力を受け付けて記憶部１１１、１２１に記憶されていてもよい。また、ＰＣ１１０、１２０にインストールされているプリンタドライバによりユーザＩＤが保持されていてもよい。このような場合には、ＰＣ１１０、１２０にプリンタドライバをインストールする際に、制御部１１５、１２５が、ユーザＩＤの入力を受け付けて記憶部１１１、１２１に記憶させればよい。
【００３８】
以上に記載された実施の形態１においては、ユーザＩＤと既に指定されている設定とに基づいて、別の設定を指定するようにしているが、このような例に限定されるものではない。例えば、ユーザＩＤを用いずに、既に設定されている設定に基づいて、別の設定を指定することもできる。このような場合、既に指定されている１以上の設定から、まだ指定されていない１以上の設定を指定することができる。また、このような場合には、印刷ジョブにユーザＩＤが含まれていなくてもよい。例えば、既に指定されている画像形成機能に関する複数の設定を第１の設定及び第２の設定として用いて、第３の設定を指定することができる。
【００３９】
また、以上に記載された実施の形態１では、印刷品位と、カラー・モノクロ設定とに基づいて、設定の指定が行われているが、このような例に限定されるものではない。例えば、用紙サイズ又は両面印刷等の設定に基づいて、未指定の設定が指定されてもよい。
【００４０】
以上に記載された実施の形態１では、「トナーセーブ」及び「１００％黒をトナーセーブする」の機能について、設定を指定したが、このような例に限定されるものではない。例えば、「極細線を補正する」の機能の設定（「ＯＮ」又は「ＯＦＦ」）を指定することもできる。また、「印刷前にドラムクリーニングを実行する」の機能の設定（「ＯＮ」又は「ＯＦＦ」）を指定することもできる。さらに、「１００％の黒は、常に黒で生成する」の機能の設定（「ＯＮ」又は「ＯＦＦ」）を指定することもできる。さらにまた、「拡大又は縮小を伴う印刷時にページレイアウトを維持する」の機能の設定（「ＯＮ」又は「ＯＦＦ」）を指定することもできる。
なお、印刷用データの生成に必要のない設定については、制御部１５３から、印刷部１５６に与えられ、印刷時にその設定が用いられる。
【００４１】
実施の形態１では、画像形成装置の一例として、プリンタ１５０を説明したが、本発明に係る画像形成装置は、複写機、ＭＦＰ（複合機）又はファクシミリ装置であってもよい。
【符号の説明】
【００４２】
１００  画像形成システム、  １１０  第１のＰＣ、  １２０  第２のＰＣ、  １３０  クラウドサーバ、  １４０  携帯端末、  １５０  プリンタ、  １５１  送受信部、  １５２  記憶部、  １５３  制御部、  １５４  印刷処理部、  １５７  表示操作部、  １５４  印刷処理部、  １５５  画像処理部、  １５６  印刷部。
【図１】
2016068312.tif 000003
【図２】
2016068312.tif 000004
【図３】
2016068312.tif 000005
【図４】
2016068312.tif 000006
【図５】
2016068312.tif 000007
【図６】
2016068312.tif 000008
【図７】
2016068312.tif 000009
【図８】
2016068312.tif 000010
【図９】
2016068312.tif 000011
【図１０】
2016068312.tif 000012